(57)【特許請求の範囲】
【請求項１】
自己接着性洗浄ブロックであって、
洗浄されるべき表面に接着するように構成された第１面と、
前記第１面の反対側の第２面と、
前記第２面の一部から延びる取っ手と、を含み、
前記ブロックは、非イオン性界面活性剤と液体成分とを含む均一な材料組成を有し、
前記ブロックは、アプリケータを使用せずに洗浄されるべき表面に適用されるように構成されている、自己接着性洗浄ブロック。
【請求項２】
前記ブロックが、前記第１面と、前記第２面と、前記取っ手とを有する最終形状に押出成型、圧縮成型、又はキャスト成型される、請求項１に記載の自己接着性洗浄ブロック。
【請求項３】
前記取っ手は、前記取っ手に隣接する前記第２面の一部と前記取っ手の上部との間で測定された取っ手高さを有し、前記取っ手高さは０．２０インチ以上である、請求項１に記載の自己接着性洗浄ブロック。
【請求項４】
前記ブロックは、前記第１面の底部と前記取っ手の上部との間で測定されたブロック高さを有し、前記ブロックは、前記ブロックの第１側面と前記ブロックの第２側面との間で測定されたブロック幅を有し、前記ブロック高さ対前記ブロック幅の比率が１：４〜４：１である、請求項１に記載の自己接着性洗浄ブロック。
【請求項５】
前記ブロック高さが０．２０インチ以上である、請求項４に記載の自己接着性洗浄ブロック。
【請求項６】
前記第１面から延びる複数の突起をさらに含む、請求項１に記載の自己接着性洗浄ブロック。
【請求項７】
前記洗浄されるべき表面が便器上の便器表面であり、前記便器の１回の洗い流し毎に０．０１グラムの香料が放出される、請求項１に記載の自己接着性洗浄ブロック。
【請求項８】
前記ブロックの前記材料組成が、固体陰イオン性界面活性剤をさらに含む、請求項１に記載の自己接着性洗浄ブロック。
【請求項９】
洗浄物品であって、
第１面と、
前記第１面の反対側の第２面と、
前記第２面の一部から延びる取っ手と、を含む自己接着性洗浄ブロックを含み、
前記ブロックは、非イオン性界面活性剤と液体成分とを含む均一な材料組成を有する、洗浄物品。
【請求項１０】
前記ブロックが、前記第１面と、前記第２面と、前記取っ手とを有する最終形状に押出成型、圧縮成型、又はキャスト成型される、請求項９に記載の洗浄物品。
【請求項１１】
前記取っ手は、前記取っ手に隣接する前記第２面の一部と前記取っ手の上部との間で測定された取っ手高さを有し、前記取っ手高さは、０．２０インチ以上である、請求項９に記載の洗浄物品。
【請求項１２】
前記洗浄ブロックは、前記第１面の底部と前記取っ手の上部との間で測定されたブロッ
ク高さを有し、前記洗浄ブロックは、前記ブロックの第１側面と前記ブロックの第２側面の間で測定されたブロック幅を有し、前記ブロック高さ対前記ブロック幅の比率が１：４〜４：１である、請求項９に記載の洗浄物品。
【請求項１３】
前記ブロック高さが０．２０インチ以上である、請求項１２に記載の洗浄物品。
【請求項１４】
前記洗浄ブロックは、前記第１面から延びる複数の突起をさらに含む、請求項９に記載の洗浄物品。
【請求項１５】
前記洗浄ブロックの前記取っ手の少なくとも一部を覆うバリア層をさらに含む、請求項９に記載の洗浄物品。
【請求項１６】
前記バリア層は、使用者が前記自己接着性洗浄ブロックを洗浄される表面に適用した後に前記バリア層を除去し得るように、前記取っ手の少なくとも一部分に剥離可能に接着される、請求項１５に記載の洗浄物品。
【請求項１７】
前記バリア層が、１つ以上の水溶性材料を含む、請求項１５に記載の洗浄物品。
【請求項１８】
前記ブロックの前記材料組成が、固体陰イオン性界面活性剤をさらに含む、請求項９に記載の洗浄物品。
【請求項１９】
洗浄ブロックを製造するための方法であって、
均一な洗浄組成物を調製するために非イオン性界面活性剤と液体成分とを混合する工程と、
洗浄ブロックを形成するために、前記洗浄組成物を、押出成型、圧縮成型又はキャスト成型する工程と、を含み、前記洗浄ブロックは、
第１面と、
前記第１面の反対側の第２面と、
前記第２面と一体成型され、且つ、前記第２面の一部から延びる取っ手とを含む、方法。
【請求項２０】
前記洗浄組成物をダイ又はコーンを通して押出してログを形成し、前記方法は、複数の洗浄ブロックを形成するために前記ログを複数の切片に切断する工程をさらに含む、請求項１９に記載の方法。
【請求項２１】
バリア層を前記取っ手の少なくとも一部に剥離可能に接着する工程をさらに含む、請求項１９に記載の方法。
【請求項２２】
前記取っ手の少なくとも一部を、１つ以上の水溶性材料を含むバリア層で塗布する工程をさらに含む、請求項１９に記載の方法。
【請求項２３】
１つ以上の洗浄ブロックを製品パッケージに封入する工程をさらに含む、請求項１９に記載の方法。
【請求項２４】
前記洗浄組成物が、固体陰イオン性界面活性剤を、前記非イオン性界面活性剤及び液体成分と混合することによって形成される、請求項１９に記載の方法。
【請求項２５】
洗浄物品であって、
第１面と前記第１面の反対側の第２面とを有するブロック本体と、
前記第２面の一部から延びる取っ手と、を含む自己接着性洗浄ブロックを含み、
前記ブロック本体及び前記取っ手は、非イオン性界面活性剤と液体成分とを含む同一の
材料組成を有する、洗浄物品。
【請求項２６】
前記ブロック本体及び前記取っ手は、一緒に最終形状に押出成型、圧縮成型、又はキャスト成型される、請求項２５に記載の洗浄物品。
【請求項２７】
前記洗浄ブロックは、前記第１面から延びる複数の突起をさらに含む、請求項２５に記載の洗浄物品。
【請求項２８】
前記ブロック本体及び前記取っ手の材料組成は、固体陰イオン性界面活性剤をさらに含む、請求項２５に記載の洗浄物品。
【請求項２９】
自己接着性洗浄ブロックであって、
洗浄されるべき表面に接着するように構成された第１面を有する本体部と、前記本体部と一体成型され、且つ、前記ブロックを前記洗浄されるべき表面に接着するために使用者によって把持するように構成された把持部と、を含み、
前記洗浄ブロックは、非イオン性界面活性剤及び液体成分で形成されている、自己接着性洗浄ブロック。
【請求項３０】
前記把持部は、前記本体部から延びている、請求項２９に記載の自己接着性洗浄ブロック。
【請求項３１】
前記把持部は、前記本体部の一部として均一に成形されている、請求項２９に記載の自己接着性洗浄ブロック。
【請求項３２】
前記本体部の断面は、３角形、半円形、又は半楕円形のうちのいずれかである、請求項３１に記載の自己接着性洗浄ブロック。
【請求項３３】
前記洗浄ブロックが、固体陰イオン性界面活性剤でさらに形成されている、請求項２９に記載の自己接着性洗浄ブロック。
【請求項３４】
第１面と、第２面と、前記第２面と一体成型され、且つ、前記第２面から延びる取っ手とを有するブロックを含む自己洗浄材料を表面に適用する方法であって、
前記取っ手を把持しパッケージから前記自己洗浄材料を取り出す工程と、
アプリケータを使用せずに、前記自己洗浄材料を洗浄されるべき表面に接着させるために、前記第１面を前記表面に接触させる工程と、
前記表面をすすぐ工程と、を含む、方法。
【請求項３５】
前記ブロックの材料組成が、非イオン性界面活性剤及び液体成分を含む、請求項３４に記載の方法。
【請求項３６】
前記ブロックの前記材料組成が、固体陰イオン性界面活性剤をさらに含む、請求項３５に記載の方法。
【発明の詳細な説明】
【関連出願】
【０００１】
本出願は、２０１４年７月１日に出願された米国特許出願第６２／０１９，７６４号に対する優先権を主張する。全体の開示は、参照により本明細書に組み込まれる。本開示は、米国特許出願第１１／６７３，６６１号、現在、米国特許第７，７０９，４３３号、米国特許出願第１２／３８８，５７６号、現在、米国特許第８，１４３，２０５号、米国特許第１３／３７４，７００号、現在、米国特許第８，６５８，５８８号に関連され、これらの各々は、本明細書に完全に記載されているかのように、その全体が参照により組み込まれる。
【技術分野】
【０００２】
本開示は、一般に、自己接着性洗浄ブロック、洗浄物品、及び方法、例えば自己接着性洗浄ブロックを製造する方法に関する。
【背景技術】
【０００３】
便器のような浴室器具の表面を洗浄、消毒及び脱臭するための薬剤は、固体、ペースト、ゲル、粉末及び液体の形態であり得る。スクイズボトルで排出される液体製剤は、浴室器具の定期的な洗浄を可能にするが、通常は、浴室器具を洗浄する度に消費者が消毒剤を再適用することが要求される。消費者により少ない時間が要求される他の製品は、浴室器具を自動又は連続的に洗浄することができる。
【０００４】
例えば、種々の成分を含有する分解ブロックを、便器又は小便器の洗浄、消毒及び／又は脱臭に使用することができる。このような分解ブロックは、一般に、便器又は小便器の水タンク（水槽としても知られている）に浸漬されるか、又は任意の種のホルダーに入れた後、便器又は小便器の縁の下（ｕｎｄｅｒ−ｔｈｅ−ｒｉｍ、ＵＴＲ）に置く。ブロックを水槽又は便器或いは小便器のいずれかに入れると、ブロックは徐々に活性成分を放出し、水に分解する。水槽に入れた分解ブロックの場合、ブロックが水槽の底に落下し、その後常に水に浸漬されていてもよい。分解ブロックが、このように常に水と接触していると、活性成分を放出し適切な速度で分解することを確実にするために、特定の種類の製剤が必要となる。ＵＴＲ製品の場合、便器が洗い流され、洗い流された水でブロックをすすぐ度に、このような分解ブロックが分解されて活性成分を放出する。上記の特許に記載されている分解ブロックの多くは、ブロックをディスペンサーに入れるか、又はブロックを単に便器タンク（水槽）に入れることによって便器タンク（水槽）に入れることができる。
【０００５】
また、自動又は連続的な洗浄は、浴室器具又は便器の縁から垂れ下がっているバスケットに消毒剤を吊り下げることによっても提供されてもよい。これに関連して、便器の表面に取り付けられた固体ブロックの形態の自己接着性ＵＴＲ剤によって、連続的な洗浄が提供されてもよい。
【発明の概要】
【課題を解決するための手段】
【０００６】
この概要は、本開示に関連するいくつかの一般的な概念を、以下の詳細な説明でさらに説明する簡略化した形で提供する。この概要が、本開示の重要な特徴部又は本質的な特徴部を特定することを意図するものではない。
【０００７】
本明細書の開示の態様は、自己接着性洗浄ブロック、洗浄物品及び方法、例えば自己接着性洗浄ブロックを製造する方法に関する。１つの例示的な態様によれば、自己接着性洗浄ブロックが開示される。いくつかの例では、洗浄ブロックは、第１面と、第１面の反対側の第２面と、第２面の一部から延びる取っ手とを含んでもよい。様々な例では、ブロックの材料組成は本質的に均一である。特定の実施形態では、ブロックの材料組成は、非イオン性界面活性剤及び液体成分を含んでもよい。様々な例では、材料組成は、固体陰イオン性界面活性剤を含む。いくつかの例では、使い捨てアプリケータが使用されなく、それに加えて使用者が便器の表面に手を近接させなくブロックを適用する自己接着剤又は洗浄ブロックが提供される。
【図面の簡単な説明】
【０００８】
本開示の例示的な実施形態は、添付の図面を参照して、単なる例示として記載される。
【図１】本方法の１つ以上の実施形態において使用され得る例示的な押出ダイを示す。
【図２】本方法の１つ以上の実施形態において使用され得る例示的な押出ダイを示す。
【図３】本方法の１つ以上の実施形態において使用され得る例示的な押出ダイを示す。
【図４】本方法の１つ以上の実施形態において使用され得る例示的な押出ダイを示す。
【図５】本方法の１つ以上の実施形態において使用され得る例示的な押出ダイを示す。
【図６】例示的な洗浄ブロックの斜視図である。
【図７】例示的な洗浄ブロックの斜視図である。
【図８】例示的な洗浄ブロックの斜視図である。
【図９】例示的な洗浄ブロックの斜視図である。
【図１０】例示的な洗浄ブロックの斜視図である。
【発明を実施するための形態】
【０００９】
本開示による様々な例示的な構造の以下の説明において、本開示の一部を形成し、本開示による様々な構造の例示として示される添付の図面が参照される。さらに、本開示の範囲から逸脱することなく、部品及び構造の他の特定の配置が利用されることができ、構造的及び機能的変更を行うことができることが理解されるべきである。
【００１０】
本明細書に記載の実施形態、装置及び方法は、自己接着性洗浄ブロック、洗浄物品、及び方法、例えば自己接着性洗浄ブロックを製造する方法を提供する。本開示又は本開示の特定の実施形態のこれらの及び他の態様、特徴及び利点は、例示的な実施形態の以下の説明から当業者にさらに理解されるであろう。
【００１１】
本開示のいくつかの態様は、便器表面のような洗浄される表面に接着するように構成され得る自己接着性洗浄ブロックに関する。特定の例では、洗浄ブロックは、洗浄されるべき表面に接着され得る第１面と、第１面の反対側の第２面と、第２面の一部から延びる任意の取っ手とを含み得る。使用中、使用者は、自己接着性洗浄ブロックの一部を把持するか又は任意の取っ手を使用して、自己接着性洗浄ブロックの第１面を洗浄されるすべき表面に接触させて自己接着性洗浄ブロックを洗浄されるすべき表面に接着することによって、自己接着性洗浄ブロックを洗浄されるすべき表面に適用することができる。このように、水が表面上を洗い流すか又はすすぐ場合、ブロックは、洗い流し又はすすぎの度にすぐ溶解して洗浄剤を投与する。
【００１２】
いくつかの例では、ブロックは、第１面と第２面を接合した１つ以上の側面を含む。ブロックは、様々な形状及び大きさであってもよい。例えば、いくつかの実施形態では、第１面及び第２面、並びに１つ以上の側面はブロック本体（すなわちブロックの非取っ手部）を画定し、いくつかの実施形態では、ブロック本体は、角柱（３角柱又は４角柱を含むが、これらに限定されない）形状、円柱形状、円錐形状、球形状、楕円形状、又はこのような形状の一部分を含む。
【００１３】
種々の実施形態では、第１面と第２面は互いに平行であり、他の実施形態では、それらは実質的に平行である（すなわち相対配向において１０度以下の差を有する）。いくつかの例では、第１面及び第２面は、同一の周囲形状を有する。これらの例中の特定の例では、第１面及び第２面はまた、同一の大きさであるが、他の例では、一方の面がより小さいがその大きさは比例である。いくつかの例では、第１面及び第２面は、幾何学的形状、円形形状、不規則形状、起伏形状、又は楕円形状の周囲形状を有する。特定の実施形態では、後述するように、ブロックが押出によって製造される、第１面、第２面及び任意の側面が、押出軸に沿って一定の輪郭を有する。いくつかの例では、ブロックの本体、すなわちブロックの非取っ手部の形状は凸であり、他の例では凹である。特定の例では、第１面又は第２面の一方が凸であり、他の例では第１又は第２面の一方が凹である。いくつかの例では、２つ以上の面の間に形成された縁部は傾斜していてもよく、他の例では縁部は湾曲していてもよい。以下でより詳細に説明するように、特定の例では、ブロックは、押出成型工程、キャスト成型工程及び／又は圧縮成型工程によって形成されるので、使用されるダイ、コーン、プレート及び／又はモールド及びブロックの所望の特性に応じて多種多様な形状及び／又は輪郭が可能である。
【００１４】
図６〜１０は、アプリケータを使用せずに洗浄されるべき表面に適用されるように構成された例示的な洗浄ブロックを示す。図６は、第１面６２０と、第２面６３０と、取っ手６４０とを有する例示的な洗浄ブロック６００を提供する。この例では、第１面６２０は、下記で詳細に記載されるように、第１面６２０から延びる複数の突起６７０を有する。例示的な洗浄ブロック６００は、第１側面６５０、第２側面６６０及び第３側面６８０、並びに第４側面（この図には示されていない）を含み、この例では、第３側面６８０及び第４側面は、（ブロックにおける２つの側面の間の任意の中間部分と）同一の輪郭形状を有する。洗浄ブロック６００は、押出工程によって形成され得、同一の形状を有する押出ダイを通って押し出された一定の輪郭形状を有するブロックの例を提供する。しかしながら、いくつかの実施形態では、一定の輪郭形状を有する洗浄ブロックが、キャスト成型工程又は圧縮成型工程などの他の工程から製造されてもよい。
【００１５】
特定の例では、複数の突起６７０は、第１面全体を横断する１つ以上の隆起部、例えば、図３に示された押出ダイを使用して押出工程から生じる複数の輪郭隆起部である。複数の突起６７０は、洗浄ブロック６００の接着特性に影響を及ぼするために、必要又は要望に応じて、数、大きさ及び形状を変化してもよい。突起６７０は、図３に示すように、３角形又は角錐形状に形成し得る。しかしながら、他の代替例では、複数の突起は、円形又は正方形に形成し得る。複数の突起の形状は、規則的であっても不規則であってもよい。特定の例では、複数の突起は大きさを変化してもよく、例えば、第１面の周囲の上又はその近傍の１つ以上の突起は、内部に近い１つ以上の突起より第１面からさらに延びていてもよい。いくつかの例では、第１面の全周囲は、隆起されていて突起として作用する。様々な例では、１つ以上の側面の周囲は、例えば、第１面が凹面である実施形態において、第１面に対して隆起されて１つ以上の突起として作用する。使用者が、洗浄される表面に洗浄ブロックを適用する場合、例えばブロックの取っ手を握る場合、使用者は、ブロックを押し下げて、複数の突起が洗浄される表面に対して変形させることができる。従って、いくつかの例では、洗浄される表面に突起を接着し、特定の例では、湿った表面を含む表面への接着を容易にする。
【００１６】
図７は、第１面７２０と、第２面７３０と、取っ手７４０と、第１側面７５０、第２側面７６０、及び第３側面７８０並びに第４側面（この図には示されていない）とを有する別の例示的なブロック７００を提供する。ブロック７００は、図２に示された押出ダイを使用して押出工程によって形成され、そして同一の輪郭形状を有する図２に示された押出ダイを通って押し出されたことから一定の輪郭形状を有するブロックの別の例を提供する。
【００１７】
図８は、第１面８２０と、第２面８３０と、取っ手８４０と、第１側面８５０、第２側面８６０及び第３の側面８８０、並びに第４の側面（この図には示されていない）とを有する別の例示的なブロック８００を提供する。ブロック８００は、キャスト成型工程によって形成されて、従って一定の輪郭形状を有さないブロックの例を提供する。例えば、ブロック８００は、表面全体にわたる部分ではなく、その第２面８３０の中央部分から延びる取っ手を有する。
【００１８】
図６〜図８に示された例のような様々な例では、ブロックは、第２面の一部から延びる取っ手を含んでもよい。取っ手は、使用者が取っ手を通してブロックを把持及び／又は操作することを可能にするように任意の形状、形態又は大きさをとることができる。図６及び図７に示すように、取っ手は、第２面の一部分から延びる隆起部であり得、隆起部は、第２面全体又はその一部のみを横切ってもよい。特定の実施形態では、隆起部は、円の輪郭を含む円形であっても湾曲されてもよく、使用者は、洗浄ブロックに対する方向に関係なく、隆起部の少なくとも一部を容易に把持することができる。他の例では、隆起部は、隆起した「Ｘ」字形構造、又は他の幾何学的形状であり得る。図８に示された例では、取っ手は、第２面の１つの領域（例えば、表面の中央）から延びている突起部又は他の特徴部（例えば、単一の円柱形状）であり得る。他の例では、取っ手は、単一の放物線形状の構成、又は４角形又は３角形などの単一の幾何学的角柱形状であり得る。他の例では、取っ手形状は不規則形状であり得る。様々な例では、ブロックは複数の取っ手を含んてもよい。特定の実施形態では、ブロックの１つ以上の表面及び／又は１つ以上の取っ手は、使用者の指又は複数の指を受け入れるための形状及び大きさのくぼみ又はディボットを有してもよい。
【００１９】
図６〜図８に示された例に示すように、取っ手は第２面に比べて取っ手の高さｈを有する。取っ手の高さｈは、特定の例では、取っ手に隣接する第２面の一部と取っ手の上部との間で測定されてもよく、他の例では、取っ手の上部に比べて第２面の最も低い相対部分との間で測定されてもよい。取っ手の高さは、使用者がブロックを把持及び／又は操作することを可能にする任意の高さであってもよい。いくつかの例では、使用者は、取っ手を把持及び／又は操作する能力により、手を表面に近づけることなく、洗浄される表面にブロックを適用することができる。これにより、使用者はより多くの力を十分利用して、表面上のより良好な接着を達成することができる。とりわけ、これは、分解洗浄ブロックが、現在他のＵＴＲ製品によって使用される使い捨てプラスチックケージ又は使い捨てプラスチックアプリケータを使用する必要性が排除されるので、便利で多くの点で環境にやさしい低コストの製品も可能にする。
【００２０】
特定の実施形態では、取っ手の高さは約０．２０インチ以上である。様々な例では、取っ手の高さは、約０．３０インチ以上、約０．４０インチ以上、約０．５０インチ以上、又は約０．７５インチ以上である。いくつかの例では、取っ手の高さは、約０．１５インチ〜約０．２５インチ、他の実施形態では約０．２０インチ〜約０．３０インチ、他の実施形態では約０．３０インチ〜０．５０インチである。
【００２１】
種々の実施形態では、便器表面のような洗浄される表面に第１面が接着された場合第２面から延びるいる取っ手は、便器が洗い流されるときに、ブロックの上を流れる洗い流し水中の水のせん断が増加させる。これは、次に、洗い流しサイクルの中に追加の泡を生成し、ブロック及びそれに含まれる任意の界面活性剤の洗浄能力を高めることができる。
【００２２】
図９は、第１面９２０と、第１面と３角形を形成する第１側面９５０及び第２側面９６０、及び第３側面９８０、並びに第４側面（この図には示されていない）とを有する別の例示的なブロック９００を提供する。この例では、使用者は、第１側面９５０と第２側面９６０の交差点の周りで第１側面９５０と第２側面９６０を把持し（ここで交差点の周りでの領域が取っ手９４０として機能する）、第１面を洗浄される表面に置いてもよい。
【００２３】
図１０は、第１面１０２０と、第２面１０３０と、第１側面１０８０及び第２側面（図示せず）とを有する別の例示的なブロック１０００を提供する。この例では、使用者は、湾曲した第２面によって形成されたブロックの丸みを帯びた部分を把持してもよく、この領域は取っ手１０４０として機能することができる。
【００２４】
いくつかの実施形態では、図９及び図１０でのようなブロックの１つ以上の表面の形状は、取っ手又は把持部として機能する。例えば、図９に示すように、ブロックは、本質的に３角柱形状を画定するために、第１面と、互いに結合された２つの側面９５０、９６０とを備えてもよい。これらの例では、使用者は、２つの側面の交差点の周りの２つの側面を把持し、角柱形状の反対面を洗浄される表面に置いてもよい。他の例では、ブロックは本質的に角錐形状（３角形、４角形、又は６角形の角錐形状を含むが、これに限定されない）を有してもよく、使用者は側面の頂点の周りでブロックを把持し、角錐形状の底面が、洗浄されるすべき表面に接触するように適応させてもよい。例えば、図１０でのように、ブロック１０００の第２面１０３０は、使用者が丸みを帯びた部分を容易に把持することができるように丸みを帯びていてもよい。これらの例では、ブロックの第１面が洗浄される表面に接着するように構成され、次いで１つ以上の表面が取っ手として機能するように構成される。
【００２５】
他の例では、ブロックの形状は、本質的に４角柱形状であっても、別の幾何学的角柱形状であってもよく、表面の大きさは、使用者が洗浄される表面に対して対面する表面を押し付けるために角柱形状を把持及び／又は操作するようなものである。他の例では、洗浄される表面に対して押し付けられる表面は、対面していなく、例えば１つ以上の突起を有する表面ではない。これらの例中のいくつかの例では、様々な表面の大きさは、使用者が画定した幾何学的形状が接続された角柱形状の側面を把持するようなものである。他の例では、１つ以上の側面は、不規則又は非幾何学的形状を接続してもよいが、使用者が側面によってブロックを把持し、洗浄される表面にブロックの別の面を接着することができるような大きさである。
【００２６】
自己接着性ブロックは、便器又は小便器などの表面を含む表面を洗浄する際に使用するために適した任意の大きさであってよく、洗浄される表面に自己接着するために十分な表面積がある。いくつかの例では、第１面は、例えば、使用者が取っ手を握って表面に押し付けることによって、洗浄される表面に接着されて、従って、第１面の表面積は、この位置でブロックの自己接着及び将来の保持を可能にするために十分でなければならない。従って、ブロックは、連続的な便器クリーナーとして機能することができる。
【００２７】
いくつかの実施形態では、ブロック高さ（第１面の底部と取っ手の上部との間で測定される）とブロック幅（例えば、ブロックの第１側及び第２側のようなブロックの反対側の間で測定されるか、又は第１側面及び第２側面のような第１面の反対側面の間で測定される）は、約１：４〜約４：１の高さ対幅の比率を有する。いくつかの例では、比率は約１：１〜１：８であり、他の例では、約１：８〜８：１であり、他の例では、約１：２〜２：１であり、他の例では、約１：３〜３：１であり、さらに約１：１〜８：１である。特定の例では、ブロック高さは約０．２０インチ以上である。様々な例では、ブロック高さは、約０．３０インチ以上、約０．４０インチ以上、約０．５０インチ以上、又は約０．７５インチ以上である。特定の例では、ブロック高さは、約０．１５インチ〜約０．２５インチ、他の例では約０．２０インチ〜約０．３０インチであり、他の例では約０．３０インチ〜０．５０インチである。
【００２８】
特定の例では、ブロック幅とブロック高さの比率、及び／又は表面積対体積の比率は、ブロック分解の速度、従って洗い流しの度に放出されるブロック成分の量、及び寿命を制御するために変更されてもよい。例えば、ブロックの形状の寸法、又はブロック自体の形状（例えば、３角柱から円柱のようなより広い表面積を有する形状）を変更することにより、関連する比率が変更される。表面積対体積の比率が高いほど、洗い流しの度に泡が大きくなり、界面活性剤、香料などを含む比較的多量のブロック成分が放出される。同時に、これは比較的短い寿命につながる。反対に、比率がより低いと、洗浄ブロック中の化合物が放出され、泡が比較的少なくなって、より長い寿命が提供される。
【００２９】
ブロックの材料組成は、所望の接着、分解、及び寿命特性によって変化してもよい。いくつかの実施形態では、材料組成は、以下により詳細に記載されるか又は上記で参照した関連出願のいずれかに記載されている化学組成を含んでもよい。特定の例では、ブロックの材料組成は本質的に均一である。様々な例では、ブロックの材料組成は、非イオン性界面活性剤及び液体成分を含む。特定の例では、ブロックの材料組成は、固体陰イオン性界面活性剤、非イオン性界面活性剤及び液体成分を含む。
【００３０】
自己接着性洗浄ブロックのこれらの説明は単なる例示である。特定の実施形態では、洗浄ブロックは、上記の成分のいくつか又はすべてのさらなる組み合わせ又は置換を含む。さらに、洗浄ブロックのための付加的かつ代替的な適切な変形、形態及び構成要素は、本開示の利益を考慮して、当業者によって認識されるであろう。
【００３１】
本開示の他の態様は、洗浄物品に関する。特定の実施形態では、洗浄物品は、自己接着性洗浄ブロックを含む。様々な実施形態では、洗浄物品の洗浄ブロックは、本開示の自己接着性洗浄ブロックの態様に関して上述した構成要素及び／又は特徴部のいずれかを含んでもよい。
【００３２】
いくつかの例では、物品は、洗浄ブロックの取っ手の少なくとも一部を覆うバリア層をさらに含む。いくつかの例では、バリア層は、１つ以上の水溶性材料を含む。特定の実施形態では、水溶性材料は、水、例えば、洗い流しによって水溶性材料上を流れる水の存在下で、分解又は溶解する材料である。特定の例では、材料は、ポリビニルアルコール及び／又はセルロースエーテルを含むがこれに限定されない１つ以上の水溶性ポリマーを含む。様々な実施形態では、所望により分解及び溶解を変更するために、添加剤を水溶性ポリマーに組み込むことができる。特定の例では、水溶性材料は生分解性又は他の環境適合性材料を含む。様々な例では、バリア層はトイレットペーパーである。従って、特定の例では、バリア層が、水と接触時、洗い流しを通して溶解又は分解し、洗浄ブロックの自己接着性材料を完全に露出する。特定の実施形態では、バリアはまた、第１面、第２面、１つ以上の側面、及び／又は１つ以上の突起のうちの１つ以上を含むブロック本体の少なくとも一部を覆う。様々な例では、バリア層は、取っ手の全体又は実質的に全てを覆う。
【００３３】
様々な実施形態では、バリア層は、取っ手の少なくとも一部に剥離可能に接着されているものであり、使用者は、洗浄される表面に自己接着性洗浄ブロックを適用した後にバリア層を除去してもよい。いくつかの実施形態では、剥離可能に接着されたバリア層は、ワックスペーパー又はシリコーン塗布紙である。特定の実施形態では、バリアは、第１面、第２面、１つ以上の側面、及び／又は１つ以上の突起のうちの１つ以上を含むブロック本体の少なくとも一部に剥離可能に接着されてもよい。様々な例では、バリア層は、除去前に、取っ手の全体又は実質的にすべてに確実に接着されている。
【００３４】
特定の例では、洗浄物品は少なくとも第２バリヤー層を含む。いくつかの例では、少なくとも第２バリア層が第１面の少なくとも一部及び／又は複数の突起を覆っていて、使用者は洗浄される表面にブロックを接着する前に第２バリア層を除去する。
【００３５】
これらの洗浄物品の記載は単なる例示である。特定の実施形態では、洗浄物品は、上記の成分のいくつか又はすべてのさらなる組み合わせ又は置換を含む。洗浄物品のための付加的かつ代替的な適切な変形、形態及び構成要素が、本開示の利益を考慮して、当業者によって認識されるであろう。さらに、洗浄ブロックの例示的な実施形態で論じられる特徴部のいずれかは、上述の洗浄物品の実施形態の特徴部であってもよく、その逆であってもよい。
【００３６】
本開示の他の態様は、自己接着性洗浄ブロック及び／又はこのようなブロックを含む洗浄物品を製造する方法を含む方法に関する。本方法の例としては、上述の洗浄ブロック及び／又は洗浄物品、又は使用者が洗浄ブロックを把持及び／又は操作することができる取っ手を有する他のブロックの例の形成をもたらす任意の段階が挙げられる。特定の例では、本方法は、所望の最終形状を有するブロックを形成するための押出成型工程、圧縮成型工程及び／又はキャスト成型工程を含む。
【００３７】
いくつかの例では、ブロックは、１つ以上の分割可能な接続部によって結合された複数の洗浄ブロックを含むユニットに押出成型、圧縮成型、又はキャスト成型されてもよい。特定の実施形態では、押出されたログ又はログの切断された部分は、複数の洗浄ブロックを提供するために十分な大きさであり、ブロックは、使用者が洗浄ブロックとして使用するためにより小さいユニットに分割されることができいる１つ以上の分割可能な接続部を提供するように、部分的に切断されているか又は切れ目がつけられている。特定の例では、ダイ又はコーンの形状は、分割可能な接続部として機能し得る、ブロック及び／又はログの残りの部分に比べて比較的薄い厚さを有する１つ以上の領域を含む押出輪郭によってログを提供する。いくつかの例では、押出のログは、２つ以上の個々の洗浄ブロックに分割されるように設計されたブロックを提供し、他の例では４つ以上の個々の洗浄ブロックであり、他の例では６つ以上の個々の洗浄ブロックであり、さらには他の例では８つ以上の個々の洗浄ブロックである。
【００３８】
特定の例では、本方法は、洗浄組成物を調製するために２つ以上の化学成分を混合する工程を含む。様々な実施形態では、洗浄組成物は、混合後に本質的に均一である。いくつかの例では、少なくとも非イオン性界面活性剤及び液体成分が混合される。様々な実施形態では、固体陰イオン性界面活性剤は、非イオン性界面活性剤及び液体成分と混合される。次いで、本方法は、洗浄ブロックを形成するために洗浄組成物を押出成型、圧縮成型又はキャスト成型する工程を含んでもよい。特定の例では、形成された洗浄ブロックは、第１面と、第１面の反対側の第２面と、第２面の一部から延びる取っ手とを有する。いくつかの例では、組成物が溶融され、所望の形状を有する金型にキャスト成型される。他の例では、混合された組成物が、所望の形状を有する金型を使用して、固体又は実質的に固体の製品に圧縮される。
【００３９】
特定の例では、洗浄組成物は最終洗浄ブロック製品に押出される。様々な実施形態では、洗浄組成物は、ログを形成するためにダイ、プレート又はコーンを通して押し出し、本方法は複数の洗浄ブロックを形成するためにログを複数の切片に切断する工程をさらに含む。
【００４０】
いくつかの例では、本質的に均一な湿った粉末又は凝集混合物が形成されるまで２つ以上の化学成分が混合される。次いで、上記の成分が押出機を１回以上通してもよい。例えば、成分が、最初に押出機を通して、組み合わせた成分のスパゲッティ様ストランド（すなわち、「ヌードル」）の脂肪片を形成することができる。このようなスパゲッティ様ストランドが集められ、そしてストランドが集まれた後に、例えば、特定の形状を有する押出ダイを通して押し出されることによって所望の形状を有するログに押出される。一旦ログ又は一片に押し出されると、ログ又は一片は、フライングナイフを使用して円柱形ディスク、長方形、正方形、又は適切な幅及び重量の他の一定の形状にスライスされるか、又は適切な長さの切断ホイールを使用してスライスされる。円柱形ディスク及び長方形は、この段落に具体的に記載されているが、上記のように他の形状も可能である。特定の例では、各ディスク又は形状の重量は約２０〜２５グラムであり、他の例では、１５〜３０グラムである。いくつかの実施形態では、Ｓｉｇｍａ  Ｌａｂ押出機を使用してもよい。
【００４１】
いくつかの例では、押出生成物が押出機の「ヌードル」段階を１回通し、次いで最終押出段階を１回以上通して最終形状を提供し、例えば２回以上又は３回以上である。最終押出後、いくつかの例では、洗浄ブロックは、特定の側面輪郭形状を有する非常に均一なログの形態である。図１〜５は、例示のダイに対応する輪郭を有する洗浄ブロックを提供するために本方法の実施形態で使用されてもよい例示的な押出ダイを提供する。例えば、図１は、底面の縁部１２０と、上面の縁部１３０と、取っ手表面の縁部１４０と、第１側面の縁部１５０及び第２側面の縁部１６０とによって画定される押出輪郭形状１１０を有する例示的な押出ダイ１００を提供する。同様に図２は、底面の縁部２２０と、上面の縁部２３０と、取っ手表面の縁部２４０と、第１側面の縁部２５０及び第２側面の縁部２６０とによって画定される押出輪郭形状２１０を有する例示的な押出ダイ２００を提供し、図３〜図５において、同様の参照符号は同様の構成要素を表す。図３の例示的なダイはさらに、底面の縁部３２０の一部を画定する複数の突起の縁部３７０をさらに含む。
【００４２】
これらの例の中の特定の例では、化学成分を混合物に混合し、次いで材料の「ヌードル」を形成するために押出ダイ（例えば、図１〜５のダイ）を通して押出する。これらの例では、押出生成物は、ダイの形状に対応する形状を有する。例えば、図６は、図３に提供された例示的なダイ３００から生じる例示的な押出生成物を示す。この例では、押出ダイ３００は、全体的な輪郭形状３１０を有する。輪郭形状及びこの画定した縁部の特徴部は、図６に示された得られる押出生成物（すなわち、例えば、取っ手の縁部３４０によって画定される取っ手６４０と、第１面の縁部３２０と突起の縁部３７０によって画定される第１面６２０から延びる複数の突起６７０とを有するブロック６００）の輪郭特徴を画定する。
【００４３】
種々の例では、押出は、ダイを使用せずにノーズコーン（ｎｏｓｅ  ｃｏｎｅ）を通して行われる。他の例では、押出ダイが使用される。特定の例では、押出は、直径約１センチメートル未満のダイを使用せずに行われる。いくつかの例では、分解洗浄ブロックは、所定の厚さ（例えば、約１センチメートル）に切断された押出ディスクであり、洗浄ブロックを表面上に押し付けるだけで、洗浄ブロックを便器又は小便器の壁の上に置くことができる。いくつかの例では、ブロックは、約０．７５センチメートル、約１．２５センチメートル、及び約１．５０センチメートルを含むがこれらに限定されない、異なる厚さを有する。
【００４４】
押出工程は、いくつかの例では、連続的であり、例えばナイフ又はブレードが使用されて連続的なログから個々の切断ブロックを製造し、他の例では半連続的であり、多数の個別ブロックを形成する。特定の実施形態では、押出は直接押出である。
【００４５】
特定の例では、本方法は、バリア層を取っ手の少なくとも一部に剥離可能に接着する工程をさらに含む。剥離可能に接着されたバリア層は、いくつかの例では、ワックスペーパー及び／又はシリコーン塗布紙を含むがこれに限定されない、上述の剥離可能に接着された任意のバリア層材料の１つ以上を含んでもよい。例えば、ワックスペーパーの一片を取っ手に押し付けて取っ手に接着し（ここで、洗浄ブロック組成物の接着特性により接着性が得られる）、いくつかの例では、剥離可能に接着するためにバリア層の前に追加の接着剤が適用される。
【００４６】
いくつかの例では、本方法は、取っ手の少なくとも一部を、１つ以上の水溶性材料を含むバリア層で塗布する工程をさらに含む。いくつかの例では、被覆バリア層は、１つ以上の水溶性材料を含むがこれに限定されない、上述の塗布バリア層材料のうちの１つ以上を含んでもよい。
【００４７】
特定の例では、本方法は、１つ以上の洗浄ブロックを製品パッケージに封入する工程をさらに含む。特定の例では、多数の洗浄ブロック及び／又は物品が単一のパッケージに封入されていて、ブロックは互いに積み重ねられてもよい。いくつかの例では、ブロック又は物品は、ブロック及び／又は物品が互いに固着しないように、追加の包装によって分けられてもよい。いくつかの例では、容器は、隆起部、壁部、キャビティ又は他の分離特徴部（ｄｉｖｉｄｉｎｇ  ｆｅａｔｕｒｅ）を含んでもよい。他の例では、複数のブロックが互いに固着しないように、包装前又は包装中に、各ブロックの間に分離基材又は層、例えば、ワックスペーパーの層を配置する。特定の実施形態では、ブロック及び／又は物品は、個別に包まれ、同一の容器に入れられる。様々な例では、４つ以上の洗浄ブロックは、単一のパッケージに包装され、他の例では５つ以上であり、他の例では６つ以上であり、さらに他の例では８つ以上である。
【００４８】
これらの方法の記載は単なる例示である。特定の実施形態では、本方法は、上記の段階のいくつか又はすべてのさらなる組み合わせ又は置換を含んでもよい。さらに、本開示の利益を考慮して、本方法の付加的かつ代替的な適切な変形、形態及び構成要素が当業者によって認識されるであろう。
【００４９】
洗浄ブロックの実施形態は、洗浄ブロックを単独で又は洗浄物品の一部として使用するかにかかわらず、様々な材料成分を含んでもよい。特定の例示的な組成物、その特性、及びその用途を以下に記載する。以下の説明は、洗浄ブロックの少なくともいくつかの実施形態に適用するが、他の実施形態には適用しなくてもよい。
【００５０】
特定の例では、洗浄ブロックは、２５％〜９９％の固体界面活性剤及び１％〜２５％の液体成分を含み、すべての百分率は、洗浄ブロックの全組成物の重量％である。液体成分は、水、界面活性剤、グリセリン、香料、着色剤、アルコール、結合剤、水垢除去剤、ハイドロトロープ（ｈｙｄｒｏｔｒｏｐｅ）、溶媒、キレート剤、分散剤、及びそれらの混合物から選択されてもよい。洗浄ブロックは、充填剤をさらに含んでもよい。特定の例では、洗浄ブロックはペーストであるか、又はペースト状の粘稠度を有する。いくつかの例では、洗浄ブロックは、最終ブロックが固体であり、「粘着性」の粘稠度を有する塊を有するように、上記の成分の割合を含む。特定の実施形態では、洗浄ブロックは流動せず、すなわちブロックは粘性である。
【００５１】
固体界面活性剤と液体成分の比率は、液体及びその浸透（固体への液体吸収）、並びに液体中の固体界面活性剤の溶解度によって決まってもよい。液体香料については、可溶化よりも吸収されることが望ましいことがある。洗浄ブロックは、１種以上の固体界面活性剤、及び任意に１種以上の液体界面活性剤を含んでもよい。界面活性剤は、所望の洗浄特性に応じて、陰イオン性、非イオン性、陽イオン性及び／又は両性であってもよい。洗浄ブロックは、約２５〜９９重量％の固体界面活性剤を含んてもよく、いくつかの例では、約４０〜９５重量％であり、様々な例では、約５０〜９０重量％である。いくつかの実施形態では、固体界面活性剤は表面に接着性を提供する。より大きい泡のためには、より高い固体界面活性剤水準、例えば、少なくとも７０％が使用されてもよい。寿命を長くするためには、より低い固体界面活性剤水準、例えば、４０％以下が使用されてもよい。
【００５２】
存在する場合、液体界面活性剤は、洗浄ブロック中に２５重量％以下の水準で含まれてもよく、いくつかの例では１５重量％以下であり、様々な例では、１０重量％以下である。いくつかの例では、液体界面活性剤はブロックの溶解度を増加させ、泡を増加させて、１回の洗い流し毎により多くの香料を放出する（すべての重量百分率は、全洗浄ブロック組成物の重量百分率である）。適切な陰イオン性界面活性剤は、アルキルスルホン酸、アルキル硫酸、アルケニルスルホン酸、アルケニル硫酸、アルキルアリールスルホン酸及びアルキルアリール硫酸のアルカリ金属塩を含む。このような陰イオン性界面活性剤のいくつかは、式：ＲＳＯ４Ｍ又はＲＳＯ３Ｍで表され、式中、Ｒは、約８〜約２０個の炭素原子のアルキル又はアルケニル基、又はアルキルアリール基（アルキル部分は、約９〜約１５個の炭素原子の直鎖又は分枝鎖アルキル基であってもよく、アリール部分はフェニル又はその誘導体であってもよい）であり、Ｍはアルカリ金属（例えば、ナトリウム、カリウム又はリチウム）であってもよい。Ｍはまた、窒素誘導体（例えば、アミノ又はアンモニウム）であってもよい。
【００５３】
特定の例では、固体陰イオン性界面活性剤は、ラウリル硫酸ナトリウム、ラウリルエーテル硫酸ナトリウム及びドデシルベンゼンスルホン酸ナトリウムを含む。いくつかの例では、固体陰イオン性界面活性剤は、ノルウェーのＦｒｅｄｒｉｋｓｔａｄのＵｎｇｅｒ  Ｆａｂｒｉｋｋｅｒによって「ＵＦＡＲＹＬ」ＤＬ８５として市販されているドデシルベンゼンスルホン酸ナトリウムである。別の例示的な固体陰イオン性界面活性剤は、Ｓｔｅｐａｎ社によってＳｔｅｐａｎｏｌ（登録商標）ＭＥ−Ｄｒｙとして販売されている粉末状ラウリル硫酸ナトリウムである。別の例示的な固体陰イオン性界面活性剤は、ＳｔｅｐａｎによってＢｉｏ−Ｔｅｒｇｅ（登録商標）ＡＳ−９０Ｂとして販売されている粉末状（Ｃ１４−Ｃ１６）オレフィンスルホン酸ナトリウムである。他の例示的な陰イオン性界面活性剤はスルホコハク酸塩である。有用な液状陰イオン性界面活性剤も添加し得、ラウリルエ−テル硫酸ナトリウム、ラウリル硫酸ナトリウム、アルキルアリールスルホン酸ナトリウムを含むが、これらに限定されない。特定の実施形態では、水を添加してもよいが、いくつかの実施形態では水を添加しない。例示的な非イオン性界面活性剤は、米国オハイオ州シンシナティのＨｅｎｋｅｌ社から商品名グルコポン（ＧＬＵＣＯＰＯＮ）として入手可能なもののようなアルキルポリグリコシドを含む。
【００５４】
アルキルポリグリコシドは、式：ＲＯ−（Ｒ’Ｏ）ｘ−Ｚｎで表され、式中、Ｒは８〜２０個の炭素原子を含む１価のアルキル基（アルキル基は、直鎖又は分枝鎖、飽和又は不飽和であってもよい）、Ｏは酸素原子であり、Ｒ’は、２〜４個の炭素原子を含む二価のアルキルラジカル、例えばエチレン又はプロピレンであり、ｘは平均値が０〜１２の数であり、Ｚは、５又は６個の炭素原子を含む還元性糖部分、例えば、グルコース、ガラクトース、グルコシル又はガラクトシル残基であり、ｎは、平均値が約１〜１０の数である。種々のアルキルグリコシドの詳細な考察については、米国法定発明登録Ｈ４６８及び米国特許第４，５６５，６４７号を参照し、これらの文献は、本明細書に引用された他のすべての文献とともに参照により本明細書に組み込まれる。表Ａでは、いくつかの例のグルコポンは以下の通りである（ここで、Ｚはグルコース部分であり、ｘ＝０である）。
【００５５】
【表Ａ】
0006618935.tif 000002
【００５６】
他の例示的な非イオン性界面活性剤は、ドイツ、ルートウィヒスハーフェンのＢＡＳＦ社から商品名ルテンゾール（ＬＵＴＥＮＳＯＬ）で入手可能なもののようなアルコールエトキシレートを含む。これらの界面活性剤は、式：Ｃ１３Ｈ２５／Ｃ１５Ｈ２７−（ＯＣ２Ｈ４）ｎ−ＯＨ（アルキル基はＣ１３／Ｃ１５の混合物である）で表される。他の例示的な界面活性剤は、ルテンゾールＡ０３（ｎ＝３）、ＡＯ８（ｎ＝８）、及びＡＯ１０（ｎ＝１０）を含む。他のアルコールエトキシレートは、１２（ＯＣ２Ｈ４）と縮合したＣ１１−Ｃ１５第２級アルカノールであるダウ・サーファクタント社（Ｄｏｗ  Ｓｕｒｆａｃｔａｎｔｓ）から入手可能なタージトール（Ｔｅｒｇｉｔｏｌ）１５−Ｓ−１２のような、（ＯＣ２Ｈ４）と縮合した第２級アルカノールを含む。別の例示的な非イオン性界面活性剤は、ポリオキシエチレン（４）ラウリルエーテルである。アミン酸化物もまた適している。例示的な固体非イオン性界面活性剤は、Ｃｌａｒｉａｎｔ社によってＧｅｎａｐｏｌ  Ｔ−５００Ｐとして販売されている５０モルのＥＯを有する粉末状獣脂脂肪アルコールエトキシレートである。いくつかの例では、固体非イオン性界面活性剤は、水中の溶解速度を制御するのを助け、表面への接着を助けることができる。
【００５７】
有用な陽イオン性界面活性剤は、例えば、第１級アミン塩、ジアミン塩、及び第４級アンモニウム塩を含んでもよい。有用な両性界面活性剤は、アルキルアミノプロピオン酸、アルキルイミノプロピオン酸、イミダゾリンカルボキシレート、アルキルベタイン、スルホベタイン及びスルタインを含む。特定の例では、例えば、充分な密度を達成しコストを最小限に抑えるために、不活性充填剤を洗浄ブロックに添加しえる。存在する場合、充填剤は、洗浄ブロック中に６０重量％以下の水準に含まれてもよく、いくつかの例では４０重量％以下であり、他の例では２５重量％以下の水準である。充填剤は、水溶性の無機塩又は有機塩（又はこのような塩の混合物）などの不活性塩を含んでいてもよい。例としては、種々のアルカリ金属及び／又はアルカリ土類金属の硫酸塩、塩化物、ホウ酸塩及びクエン酸塩が挙げられる。特定の不活性塩は、硫酸ナトリウム、硫酸カルシウム、塩化ナトリウム、硫酸カリウム、炭酸ナトリウム、塩化リチウム、リン酸三カリウム、硼酸ナトリウム、フッ化カリウム、重炭酸ナトリウム、塩化カルシウム、塩化マグネシウム、クエン酸ナトリウム、硫酸マグネシウム及びフッ化ナトリウムを含む。
【００５８】
前記洗浄ブロックは、アルコールを含んでもよい。存在する場合、アルコールは洗浄ブロック中に２５重量％以下の水準で含まれてもよく、特定の実施形態では、１５重量％以下であり、様々な例では１０重量％以下である。１つの例のアルコールは、Ｓｈｅｌｌ  Ｏｉｌ  Ｃｏｍｐａｎｙによって市販されているネオドール（Ｎｅｏｄｏｌ）２３である。ネオドール（Ｎｅｏｄｏｌ）２３は、Ｃ１２直鎖第１級アルコールとＣ１３直鎖第１級アルコールとの混合物である。代替物として、Ｃ８超過しＣ２１未満である任意の直鎖（非分枝鎖）第１級脂肪アルコール及びそれらの混合物もまた適切であると考えられる。例としては、１−ドデカノール；デカノールと、ドデカノールと、テトラデカノールと、オクタデカノールとの混合物であるＥＰＡＬ−１６（Ｅｔｈｙｌ  Ｃｏｒｐｏｒａｔｉｏｎ製）；及びドデカノールとテトラデカノールとの混合物であるＡＬＦＯＬ  １２１４（Ｖｉｓｔａ  Ｃｈｅｍｉｃａｌ  Ｃｏ．製）が挙げられる。別の例示的なアルコールはグリセリンである。特定の例では、アルコールは、水中での溶液速度の制御を助け、表面への接着を助けることができる。付与される香りの種類に応じて、香料が添加し得る。存在する場合、香料は、洗浄ブロックのいつかの例では、２５重量％以下の水準で含まれてもよく、特定の例では１５重量％以下であり、他の例では、１０重量％以下である。例えば、パイン、シトラス及びポプリの香りを使用することができる。いくつかの例では、任意の香料油は、本質的に水に不溶性である。いくつかの例では、製造中の洗浄ブロックの押出を容易にする利点がある。
【００５９】
着色剤も任意に洗浄ブロック中に含まれる。存在する場合、いくつかの例では、着色剤は、洗浄ブロック中に１０重量％以下の水準で含まれてもよい。着色剤の選択は、多部分洗浄ブロック組成物が分配される水に要求される色に依存する。洗浄ブロックの完全性を維持するのを助けるために、洗浄ブロックに結合剤を使用してもよい。存在する場合、いくつかの例では、結合剤は、洗浄ブロック中に２５重量％以下の水準で含まれてもよく、特定の実施形態では、１５重量％以下であり、さらに他の例では１０重量％以下である。いくつかの例では、結合剤は、ヒドロキシアルキルセルロース（特に、ヒドロキシエチルセルロース又はヒドロキシプロピルセルロース）などの、米国特許第４，７２２，８０２号に記載されている水和セルロースを含む。ガム結合剤を使用してもよい。例としては、グアー、キサンタン、トラガカント、カラギーナン、カラヤ、又はアルギンが挙げられる。洗浄ブロックは、塩素放出剤も含んでもよい。存在する場合、いくつかの例では、塩素放出剤は、洗浄ブロック中に４０重量％いかの水準で含まれ、他の例では２５重量％以下であり、さらに他の例では１０重量％以下である。塩素放出剤の非制限例としては、クロロイソシアヌル酸（トリクロロイソシアヌル酸及びジクロロイソシアヌル酸）、クロロイソシアヌレート、次亜塩素酸塩、クロロスクシンイミド、クロラミンＴ（パラトルエンスルホンクロロアミドナトリウム）及びハロゲン化ヒダントイン（例えばクロロジメチルヒダントイン）が挙げられる。  
【００６０】
水垢除去剤もまた、洗浄ブロック中に存在してもよい。存在する場合、いくつかの例では、水垢除去剤は、洗浄ブロック中に４０重量％以下の水準で含まれ、他の例では１５重量％以下であり、さらに他の例では１０重量％以下である。例示的な水垢除去剤は、クエン酸又はスルファミン酸などの有機酸と無機酸とを含むが、これらに限定されない。界面活性剤及び他の液体の混合を助けるために、ハイドロトロープが洗浄ブロックに存在してもよい。存在する場合、いくつかの例では、ハイドロトロープは、洗浄ブロック中に２５重量％以下の水準で含まれ、様々な例では１５重量％以下であり、さらに他の例では１０重量％以下である。
【００６１】
例示的な陰イオン性ハイドロトロープは、芳香族スルホン酸塩のアルカリ金属塩である。ハイドロトロープは、Ｓｔｅｐａｎ  Ｃｈｅｍｉｃａｌｓ社から入手可能な「Ｓｔｅｐａｎａｔｅ  ＳＸＳ」のようなキシレンスルホン酸ナトリウムである。他の例示的なハイドロトロープは、ブチルモノグリコール硫酸ナトリウム、トルエンスルホン酸ナトリウム及びクメンスルホン酸ナトリウムを含む。
【００６２】
界面活性剤及び他の液体の混合を補助するために、溶媒が洗浄ブロックに存在してもよい。存在する場合、いくつかの例では、溶剤は洗浄ブロックに２５重量％以下の水準で含まれ、様々な例では１５重量％以下であり、さらに他の例では１０重量％以下である。例示的な溶媒は、８個以下の炭素原子の脂肪アルコール；６個以下の炭素原子のアルキレングリコール；アルキレン基あたり６個以下の炭素原子を有するポリアルキレングリコール；各アルキル基中に６個以下の炭素原子を有しそしてグリコール基あたり６個以下の炭素原子を有する、アルキレングリコール又はポリアルキレングリコールのモノ又はジアルキルエーテル；及び各エステル基中に６個以下の炭素原子を有しそしてグリコール基あたり６個以下の炭素原子を有する、アルキレングリコール又はポリアルキレングリコールのモノ−又はジエステルである。具体例としては、ｔ−ブタノール、ｔ−ペンチルアルコール、２，３−ジメチル−２−ブタノール、ベンジルアルコール又は２−フェニルエタノール、エチレングリコール、プロピレングリコール、ジプロピレングリコール、プロピレングリコールモノ−ｎ−ブチルエーテル、ジプロピレングリコールモノ−ｎ−ブチルエーテル、プロピレングリコールモノ−ｎ−プロピルエーテル、ジプロピレングリコールモノ−ｎ−プロピルエーテル、ジエチレングリコールモノ−ｎ−ブチルエーテル、ジエチレングリコールモノメチルエーテル、ジプロピレングリコールモノメチルエーテル、トリエチレングリコール、プロピレングリコールモノアセテート、グリセリン、エタノール、イソプロパノール、及びジプロピレングリコールモノアセテートを含む。特定の実施形態では、溶媒はジプロピレングリコールである。
【００６３】
キレート剤が洗浄ブロック中に存在してもよい。存在する場合、いくつかの例では、キレート剤は、洗浄ブロック中に２５重量％以下の水準で含まれ、様々な例では１５重量％以下であり、さらに他の例では１０重量％以下である。例示的なキレート剤は、エチレンジアミン四酢酸（ＥＤＴＡ）、ニトリロ三酢酸三ナトリウム、トリポリリン酸ナトリウム、アクリル酸、無水マレイン酸アクリル系共重合体、グルコン酸塩、ソルビトール、トリアゾール、ホスホン酸塩及び上記の塩を含む。洗浄ブロックは、ポリマーなどの分散剤を含んでもよい。特定の実施形態では、分散剤は、ポリアクリル酸及びポリアクリル酸のアルカリ金属塩からなる群から選択されてもよい。存在する場合、分散剤は、特定の例では、洗浄ブロック中に２５重量％以下の水準で含まれ、他の例では１５重量％以下であり、様々な実施形態では、１０重量％以下である。いくつかの実施形態では、ポリマーはホモポリマーポリアクリル酸ナトリウムである。１つの例示的な形態は、Ｒｏｈｍ＆Ｈａａｓ  Ｃｏ．により、Ａｃｕｓｏｌ  ４４５  ＮＤ（分子量４，５００）として販売されている。他の例示的なポリマーは、ポリアクリル酸カリウム及びポリアクリル酸を含む。
【００６４】
洗浄ブロック中に含まれ得る他の添加剤は、他の洗浄剤（例えば、ホウ砂）及び／又は防腐剤（例えば、Ｄｏｗ  ＣｈｅｍｉｃａｌのＤｏｗｉｃｉｌ（登録商標）７５）である。１つの例示的なブロックは、（ｉ）３９〜８６％（いくつかの例では８５％）Ｕｆａｒｙｌ  ＤＬ  ８５ＣＪ（固体ドデシルベンゼンスルホン酸ナトリウム８５％）、（ｉｉ）８〜１６個の炭素原子を含むアルキル基を有する、平均重合度１．６のグルコポン４２５Ｎ界面活性剤（非イオン性界面活性剤：アルキルポリグルコシド）０〜８％（いくつかの例では８％）、（ｉｉｉ）０〜６％の９９％純グリセリン（いくつかの例では２％）、（ｉｖ）０〜５０％硫酸ナトリウム（いくつかの例では０％）、及び（ｖ）５〜８％の香料（いくつかの例では５％）を含む。別の例示的なブロックは、（ｉ）約３５重量％の粉末状非イオン性脂肪アルコールエトキシレート界面活性剤、（ｉｉ）約２０重量％の粉末状陰イオン性ラウリル硫酸ナトリウム界面活性剤、（ｉｉｉ）約５重量％の液体非イオン性アルコールエトキシレート界面活性剤、（ｉｖ）約３９重量％のクエン酸、及び（ｖ）約１重量％の香料を含む。  
【００６５】
さらに別の例示的なブロックは、（ｉ）約６５重量％のＵｆａｒｙｌ  ＤＬ８５ＣＪ（固体陰イオン性界面活性剤であるアルキルアリールスルホン酸塩）、（ｉｉ）約０．００２０重量％の染料、（ｉｉｉ）約８．５０００重量％のグルコポン４２５Ｎ非イオン性界面活性剤（アルキルポリグリコシド）、（ｉｖ）約０．５０００重量％のグリセリン、（ｖ）約１９．９９８０重量％の硫酸ナトリウム、（ｖｉ）約６．００００重量％の香料を含む。さらに別の例示的なブロックは、（ｉ）約６５重量％の固体陰イオン性ラウリル硫酸ナトリウム、（ｉｉ）約０．００２０重量％の染料、（ｉｉｉ）約８．５０００重量％のグルコポン４２５Ｎ非イオン性界面活性剤（アルキルポリグリコシド）、（ｉｖ）約０．５０００重量％のグリセリン、（ｖ）約１９．９９８０重量％の硫酸ナトリウム、及び（ｖｉ）約６．００００重量％の香料を含む。
【００６６】
さらに別の例示的なブロックは、（ｉ）約６０重量％のＵｆａｒｙｌ  ８５ＣＪ（固体陰イオン性界面活性剤であるアルキルアリールスルホン酸塩）、（ｉｉ）約８．５０００重量％のグルコポン４２５Ｎ非イオン性界面活性剤、（ｉｉｉ）約１７．９９７０重量％の硫酸ナトリウム、（ｉｖ）約５．００００重量％の炭酸カルシウム、（ｖ）約０．００３０重量％の染料、（ｖｉ）約５．００００重量％の香料、及び（ｖｉｉｉ）約１．０００重量％のＭｉｒａｐｏｌ  Ｓｕｒｆ−５００を含む。さらに別の例示的なブロックは、（ｉ）約６０重量％のＵｆａｒｙｌ  ８５ＣＪ（固体陰イオン性界面活性剤であるアルキルアリールスルホン酸塩）、（ｉｉ）約８．５０００重量％のグルコポン４２５Ｎ非イオン性界面活性剤、（ｉｉｉ）約１７．９９９８重量％の硫酸ナトリウム、（ｉｖ）約５．００００重量％炭酸カルシウム、（ｖ）約０．００２０重量％の染料、（ｖｉ）約５．００００重量％の香料、及び（ｖｉｉｉ）約１．０００重量％のＭｉｒａｐｏｌ  Ｓｕｒｆ−５００を含む。
【００６７】
さらに別の例示的なブロックは、（ｉ）約６０〜６５重量％のＵｆａｒｙｌ  ８５ＣＪ（固体陰イオン性界面活性剤であるアルキルアリールスルホン酸塩）、（ｉｉ）約９．５０００〜１０．００００重量％のグルコポン４２５Ｎ、（ｉｉｉ）約１７．９９７０〜２５．２８００重量％の硫酸ナトリウム、（ｉｖ）約０．５０００重量％のグリセリン、（ｖ）約０．０２００重量％の（プロピレングリコール中の）２５％Ｂｉｔｒｅｘ溶液、及び（ｖｉ）約５．００００〜７．００００重量％の香料を含む。
【００６８】
分解ブロックの成分に使用される適切な百分率は、いくつかの実施形態では、「粘着性」の粘稠度を有する最終的に形成された分解ブロックを提供するだけでなく、いくつかの例では、成分が完全に濡れていなくても押出機を通すために十分に湿っていて、分解ブロックがブロック形状を保持し、乾燥形態で貯蔵可能である。洗浄物品を使用するための方法の例では、洗浄ブロックの第１面は、洗浄ブロックを分解するすすぎ液によって接触され得る位置で任意の水線の上の表面に押し付けられる。次いで、任意の量の洗浄ブロックがすすぎ流体と混合されて、表面、又は表面に隣接した液体容器を洗浄するようにすすぎ液を洗浄ブロックに接触させる。
【００６９】
特定の実施形態における製品は本質的に固体のようなものであるので、その粘弾性特性は、硬度計及び／又は適切な流動測定技術などの技術を用いて測定してもよい。粘弾性が決定されると、良好な接着をもたらし得る製品のレオロジーの範囲を確立することができる。従って、いくつかの例では、材料は、セラミック又は他の硬質表面への最適な接着のための特定の硬度又は可鍛性を有する。後述する「硬度試験」法を使用する、いくつかの実施形態における硬度は、２０〜１６０分の１ミリメートルの浸透が測定され、特定の例では５０〜１２０分の１ミリメートルの浸透であり、さらに他の例では７０〜１００ミリメートルの浸透である。特定の例では、ブロック材料は、セラミック又は他の硬い表面への最適な接着のために、一定の粘着性を有する。以下の「粘着性試験」法を使用するワックスペーパーの洗浄ブロックへの粘着性は、いくつかの例では、少なくとも５グラムが測定され、いくつかの例では少なくとも２０グラムであり、さらに他の例では少なくとも４０グラムである。いくつかの例では、洗浄ブロックのワックス表面への粘着性は、少なくとも５０グラムが測定され、他の例では少なくとも６０グラムであり、さらに他の例では少なくとも８０グラムである。
【００７０】
他の特徴の中で、いくつかの例では、得られたブロックは、複数回の洗い流し後でも便器に接着されている。このブロックの１つの意図された用途は、便器の洗浄及び／又は清涼であるが、この技術は、他の用途（例えば、すすぎ液として水が通る屋外の窓又は任意の他の場所）でも使用できることが考えられる。特定の実施形態では、多数回の便器の洗い流し後、ブロックが溶解されてあまり残らない場合、残ったブロックに標準便器のブラシを使用して便器を洗浄してもよい。
【００７１】
ブロックの持続時間（１日あたりの制御された洗い流しの回数を有する日数）を測定することができる。ブロックの厚さはブロックの持続時間に影響するが、柔らかさによって切断可能な厚さを制限してもよい（例えば、切断前に冷たい空気によって冷却された場合、ブロックをより薄く切断してもよい）。香り化便器ブロックの場合、ブロックの溶解度は、いくつかの例では、１回の洗い流し毎に約０．０１グラムの香料が放出されるようにし（ブロック中の香料の重量を、ブロックを溶解するために必要な洗い流し回数で除することによって計算される）、他の例では約０．０２グラムであり、他の例では約０．００５グラムであり、さらに他の例では約０．０２５グラムである。ブロックの溶解度は、特定の例では、１回の洗い流し毎に約０．０１〜０．０２グラムの香料が放出され（ブロック中の香料の重量をブロックを溶解するために必要な洗い流し回数で除することによって計算される）、他の例では、約０．００７５〜０．０１２５グラムであり、特定の他の例では約０．０１〜０．０１５グラムであり、さらに他の例では約０．００５〜０．０２５グラムである。
【００７２】
いくつかの例では、得られるブロックは非常に可溶性であり（洗い流し水に容易に溶解する）、より多くの活性物質及び香料をより速く放出する。しかしながら、所望の溶解度を達成するために、成分の比率を変更してもよい。例えば、より多くの香料を添加すると溶解度が低下し、ブロックが長く続く傾向がある。
【００７３】
［硬度試験］
【００７４】
洗浄ブロックの硬度を評価するために使用される方法は、本明細書では「硬度試験」と呼ばれる。硬度の測定単位は、押出物の表面への１０分の１ミリメートルの浸透である。従って、１５０の測定単位は、１５０の１０分の１ミリメートル、すなわち１５ミリメートルの浸透である。この例に使用された装置は、２３°の角度で１０２．４グラムの重量を有する大きな直径のコーンを備え、１５０グラムの重量がスピンドルの上部に乗せられた精密硬度計（Ｓｅｒｉａｌ＃１０−Ｒ−８、製造元：Ｐｒｅｃｉｓｉｏｎ  Ｓｃｉｅｎｔｉｆｉｃ  Ｃｏ．、Ｃｈｉｃａｇｏ、Ｉｌｌｉｎｏｉｓ、ＵＳＡ）である。試験方法の段階は、以下の通りであった：（１）試料は少なくとも１／４インチの厚さでなければならない。（２）機器のテーブルに試料を置く。（３）試験試料の上面及び下面の両方が比較的平坦であるべきである。（４）機器の目盛りをゼロ点に設定し、コーンとスピンドルを上方の位置に戻して固定する。次の読み取りのために再設定する前に、コーン及びその先端から残っている物質を除去する。（５）ハンドホイールを使用して、コーンの先端が試料の表面に接触するまで、コーンを備えた機器頭部の全部を下方に下りる。（６）ゼロ点を再確認し、コーンとスピンドルのリリースを挟む。（７）リリース取っ手を１０秒間握って取っ手を放す。（８）ダイヤル数値を読み記録する。（９）試験試料の表面上の異なる位置で、段階４〜８を３回繰り返す。（１０）その平均をために、記録された３つの数値を加えて３で割る。この結果が試験した試料の硬度である。この「硬度試験」では、上記の試験手順を使用して硬度の単位が１０分の１ミリメートルの浸透であるため、数値が高いほど柔らかい製品を示す。洗浄ブロックが柔らかすぎる（すなわち、硬度の数値が高い）場合、製品があまりにも可鍛性であり得るので、ブロックなどの形状に製造することはより困難であり得る。製品が硬すぎる（すなわち、硬度の数値が低い）場合、洗浄ブロックの表面に押し付けるためにより大きな圧力が必要となり、多少の粘着性を失い得る。いくつかの例では、乾燥表面に適用される洗浄ブロックのような洗浄ブロックは、硬度が約２０〜約１６０の１０分の１ミリメートルの浸透である。このような例の中の特定の例で、例えば濡れた表面に適用される洗浄ブロックの場合、硬度が５０の１０分の１ミリメートルの浸透よりも大きい。
【００７５】
［粘着性試験］
【００７６】
洗浄ブロックの粘着性の水準を評価するために使用される方法は、本明細書では「粘着性試験」と呼ばれる。使用される機器は、（１）小数点以下２桁まで、少なくとも３６００グラムを量る天秤、（２）幅約０．７５インチ、長さ３インチ、厚さ０．２５インチの製品一片、（３）幅約１インチ×長さ４インチのワックスペーパーの一片、（４）４インチ角のセラミックタイルであった。試験方法の段階は次の通りであった。（１）製品一片を取り出し、天秤の計量プレートの中央に置く。（２）ワックスペーパーの一片を取り出し、製品一片の上に置く。（３）ワックスペーパーの表面が製品に接触するように指又は親指で軽く触れる。（４）タイルを、第１５番目のワックスペーパーの上に置き、中央にあるようにする。（５）天秤をゼロ点にしてから、２０００グラムの圧力／重量が達成されるまで、ゆっくりと均等にタイルを押す。（６）タイルを除去し、天秤をゼロ点にする。（７）ワックスペーパーの一片を製品から除去し、除去中に得られた負の重量範囲を記録する。（８）製品の一片をセラミックタイルから除去し、除去中に得られた負の重量範囲を記録する。
【００７７】
［実施例１］
【００７８】
便器の縁の下部タイプの製品として便器の壁にブロックを直接粘着して使用される分解ブロックの有用性を評価するために、以下の実験を行った。実施例１で使用された分解ブロックは、以下の成分を用いて形成された。（１）Ｕｆａｒｙｌ  ＤＬ８０ＣＷ：５０．００重量％、（２）硫酸ナトリウム：３８．５０重量％、（３）ネオドール２３：５．００重量％、（４）香料：６．５０重量％。染料もまた非常に少量で加えられた。Ｕｆａｒｙｌ  ＤＬ８０  ＣＷはドデシルベンゼンスルホン酸ナトリウムである。ネオドール２３は、１２個炭素原子の直鎖脂肪アルコールと１３個炭素原子の直鎖脂肪アルコールとの混合物である。上記の成分の全てを、均一な湿った粉末又は凝集混合物が形成されるまで混合した。次いで、湿った粉末をＳｉｇｍａ  Ｌａｂ押出機を用いて押出した。生成物は、押出機のヌードル段階を１回、最終押出段階を３回通した。ヌードル段階の後、生成物はスパゲッティの形態で出てきた。最終押出後、生成物は非常に均一なログの形態であり、わずかな半透明の外観を有していた。ダイを用いずにノーズコーンを用いて押出を行った。押出の後、ログをフライングナイフを用いてディスクに切断し、各ディスクの重量は約２０〜２５グラムとした。
【００７９】
一旦調製されると、上記の方法によって形成されたディスクの性能を便器で試験した。ディスクは水線の上の便器の内側の表面に押し付けられた。最初の洗い流しによってディスクが落ちることはなかった。洗い流しによってディスクを溶解し続けている。製品は２週間の間洗い流され、使用中に製品が落ちることはなかった。
【００８０】
［実施例２］
【００８１】
以下の表１，２，３及び４に列挙した成分を用いて分解ブロックを形成したが、全ての数値はブロックの全組成物の重量百分率である。表において、「ウェット粘着」又は「ドライ粘着」の下での「有り」は、表面にしっかりと押し付けられたときに、洗浄ブロックが湿った表面又は乾燥した表面にそれぞれ粘着することを示す。
【００８２】
【表１】
0006618935.tif 000003
【００８３】
【表２】
0006618935.tif 000004
【００８４】
【表３】
0006618935.tif 000005
【００８５】
【表４】
0006618935.tif 000006
【００８６】
［実施例３］
【００８７】
以下の表５に列挙した成分を用いて分解ブロックを形成したが、全ての数値はブロックの全組成物の重量百分率である。
【００８８】
【表５】
0006618935.tif 000007
【００８９】
硬度及び粘着性を示すために、製剤番号２７及び製剤番号２８を用いて調製した試料を用いて、「硬度試験」及び「粘着性試験」を実施した。製剤２７の硬度は、２５の１０分の１ミリメートルの浸透であった。ワックスペーパーを除去するための力の範囲は５〜２０グラムの範囲であった。製品を除去するために必要な力の範囲は、トレイを実際には天秤から持ち上げた後最終的に取り外すまでに５０グラムを超過した。製剤２８の硬度は、８７の１０分の１ミリメートルの浸透であった。ワックスペーパーを除去するための力の範囲は１０〜４０グラムの範囲であった。製品を除去するために必要な力の範囲は、トレイを実際には天秤からさらに持ち上げた後最終的に取り外すまでに８０グラムを超過した。従って、いくつかの例では、自己粘着性分解洗浄ブロックは、ブロックを便器又は小便器の壁に押し付けて、便器又は小便器の壁の水線のすぐ上に直接取り付けることができる。便器又は小便器が洗い流されると、洗浄ブロックが水ですすがれ、このような洗浄ブロックの間欠的なすすぎにより、洗浄ブロックがゆっくりと分解され、有効成分が放出される。洗浄ブロックの間欠的なすすぎにもかかわらず、洗浄ブロックは壁にしっかりと取り付けて、数週間の間取り付けていることができる。最終的に、洗浄ブロックは、便器又は小便器の壁に洗浄ブロックがもはやなくなるように、完全に分解されてもよい。この時点で、便器又は小便器の壁に新しい洗浄ブロックを置いて得る。特定の例では、ブロックは、便器又は小便器を洗浄するために使用されるが、すすぎ液に接触する任意の表面を洗浄、消毒及び／又は脱臭するためにも有用である。
【００９０】
いくつかの例では、洗浄ブロックは、超高粘度ゲル、固体、又は可鍛性固体である。これらの実施形態中の特定の実施形態では、ブロックの組成物は、エトキシル化アルコール、アルキルポリグリコールエーテル、鉱物油、アルコール、ポリエチレングリコール、アルキルエーテル硫酸塩及び水を含む。これらの実施形態中の特定の実施形態では、組成物は、エトキシル化アルコール、アルキルポリグリコールエーテル、ポリエチレングリコール、及び／又は親水性ポリマーの１つ以上を含み得る接着促進剤をさらに含む。特定の実施形態では、接着促進剤は、約１８重量％〜約８０重量％で存在する。種々の例では、接着促進剤は水との結合を引き起こし、すすぎ水の作用下で組成物に寸法安定性を与える。特定の例では、組成物は、適用時硬質表面に自己接着し、水が前記組成物及び硬質表面を通るときに、前記硬質表面上に湿潤フィルムを提供する。様々な例では、組成物は、少なくとも１つのさらなる非イオン性界面活性剤及び／又は少なくとも１つの活性剤をさらに含み，前記活性剤は、香料、殺菌剤、抗菌剤、漂白剤、又は脱臭剤のうちの１つ以上であり得る。特定の例では、接着促進剤は約１８重量％〜約２７重量％の量で存在する。様々な実施形態では、鉱物油は、０〜約５重量％の量で存在し、他の実施形態では、約０．５重量％〜約３．５重量％の量で存在する。いくつかの例では、アルコールは０〜約５重量％の量で存在する。いくつかの例では、ポリマーは約１重量％〜約１０重量％の量で存在する。
【００９１】
一態様の例によれば、自己接着性洗浄ブロックは、洗浄されるべき表面に接着するように構成された第１面と、第１面の反対側の第２面と、第２面の一部から延びる取っ手とを含んでもよく、ブロックの材料組成が本質的に均一であってもよく、ブロックの材料組成が非イオン性界面活性剤と液体成分とをさらに含んでもよい。いくつかの例では、ブロックの材料組成は、固体陰イオン性界面活性剤をさらに含む。ブロックは、アプリケータを使用せずに洗浄されるべき表面に適用されるように構成し得る。別の例示的な態様の例によれば、自己接着性洗浄ブロックを含む洗浄物品が開示される。別の例示的な態様の実施形態によれば、方法が開示され、特定の例で、本質的に均一な洗浄組成物を調製するために非イオン性界面活性剤と液体成分とを混合する工程と、次いで、洗浄ブロックを形成するために洗浄組成物を押出成型、圧縮成型、又はキャスト成型する工程とを含み、洗浄ブロックは、第１面と、第１面の反対側の第２面と、第２面の一部から延びる取っ手とを含む。いくつかの例では、洗浄組成物は、固体陰イオン性界面活性剤を非イオン性界面活性剤及び液体成分と混合することによって形成される。洗浄されるべき表面は、便器上の便器表面であり得、便器の１回の洗い流し毎に０．０１グラムの香料が放出され得る。
【００９２】
いくつかの実施形態では、ブロックは、第１面と、第２面と、取っ手とを有する最終形状に押出成型、圧縮成型、又はキャスト成型される。様々な例では、取っ手は、取っ手に隣接する第２面の一部と取っ手の上部との間で測定された取っ手高さを有し、取っ手高さは約０．２０インチ以上である。いくつかの実施形態では、ブロックは、第１面の底部と取っ手の上部との間で測定されたブロック高さを有し、ブロックは、第１面の第１側面と第１面の第２側面との間で測定されたブロック幅を有する。特定の例では、ブロック高さ対ブロック幅の比率は、約１：４〜約４：１の間である。いくつかの例では、ブロック高さは約０．２０インチ以上である。様々な例では、ブロックは、第１面から延びる複数の突起をさらに含む。
【００９３】
いくつかの例では、使い捨てアプリケータが利用されなく、それに加えて使用者が便器の表面に手を近接させなくブロックを適用する自己接着剤又は洗浄ブロックが提供される。
【００９４】
別の例示的な態様によれば、洗浄物品が開示される。いくつかの例では、洗浄物品は、自己接着性洗浄ブロックを含み、洗浄ブロックは、第１面と、第１面の反対側の第２面と、第２面の一部から延びる取っ手とを含む。様々な実施形態では、洗浄物品ブロックの材料組成は、本質的に均一であり、非イオン性界面活性剤及び液体成分を含む。様々な例では、洗浄物品ブロックの材料組成は、固体陰イオン性界面活性剤をさらに含む。いくつかの例では、洗浄物品は、洗浄ブロックの取っ手の少なくとも一部を覆うバリア層をさらに含む。特定の実施形態では、バリア層は、使用者が洗浄される表面に自己接着性洗浄ブロックを適用した後にバリア層を除去し得るように取っ手の少なくとも一部に剥離可能に接着される。様々な例では、バリア層は、１つ以上の水溶性材料を含む。
【００９５】
別の例示的な態様によれば、方法が開示される。いくつかの実施形態では、本方法は、本質的に均一な洗浄組成物を調製するために非イオン性界面活性剤と液体成分とを混合すること含む工程と、次いで洗浄ブロックを形成するために洗浄組成物を押出成型、圧縮成型、又はキャスト成型する工程とを含み、洗浄ブロックは、第１面と、第１面の反対側の第２面と、第２面の一部から延びる取っ手とを含む。いくつかの例では、洗浄組成物は、固体陰イオン性界面活性剤を非イオン性界面活性剤及び液体成分と混合することによって形成される。
【００９６】
本方法の特定の例では、洗浄組成物をダイ又はコーンを通して押出してログを形成し、本方法は、複数の洗浄ブロックを形成するために前記ログを複数の切片に切断する工程をさらに含む。様々な実施形態では、本方法は、バリア層を取っ手の少なくとも一部に剥離可能に接着する工程をさらに含む。いくつかの例では、本方法は、取っ手の少なくとも一部を１つ以上の水溶性材料を含むバリア層で塗布する工程をさらに含む。特定の実施形態では、本方法は、１つ以上の洗浄ブロックを製品パッケージに封入する工程をさらに含む。
【００９７】
別の例では、洗浄物品は、自己接着性洗浄ブロックを含んでもよい。洗浄ブロックは、第１面と第１面の反対側の第２面とを有するブロック本体と、前記第２面の一部から延びる取っ手と、を含み得る。ブロック本体及び取っ手は同一の材料組成を有し得る。ブロック本体及び取っ手の材料組成は、非イオン性界面活性剤及び液体成分を含み得る。様々な例では、ブロック本体及び取っ手の材料組成は、固体陰イオン性界面活性剤をさらに含む。ブロック本体及び取っ手は、一緒に最終形状に押出成型、圧縮成型、又はキャスト成型される。洗浄ブロックはまた、第１面から延びる複数の突起を含んでもよい。
【００９８】
別の例では、自己接着性洗浄ブロックは、洗浄されるべき表面に接着するように構成された第１面を有する本体部と、ブロックを洗浄されるべき表面に接着するために使用者によって把持するように構成された把持部と、を含み得る。洗浄ブロックは、非イオン性界面活性剤及び液体成分で形成し得る。洗浄ブロックは、固体陰イオン性界面活性剤も含むように形成してもよい。把持部は本体部から延び、把持部は本体部の一部として均一に形成される。本体部の断面は、３角形、半円形又は半楕円形のうちのいずれかであり得る。
【００９９】
別の例では、表面に自己洗浄材料を適用する方法は、取っ手を把持しパッケージから自己洗浄材料を取り出す工程と、アプリケータを使用せずに、自己洗浄材料を洗浄されるべき表面に接着するために、洗浄ブロックの第１面を洗浄されるべき表面に接触させる工程と、その表面をすすぐ工程と、を含んでもよい。本方法では、自己洗浄材料は、第１面と、第２面と、第２面から延びる取っ手とを有するブロックを含み得、ブロックの材料組成は、非イオン性界面活性剤及び液体成分を含み得る。ブロックの材料組成は、固体陰イオン性界面活性剤をさらに含んでもよい。
【０１００】
本開示は、開示された実施形態に限定されない。それどころか、本開示は、様々な修正及び同等の構成を含むことが意図されている。
【産業上の利用可能性】
【０１０１】
本明細書の開示は、自己接着性洗浄ブロック、洗浄物品、及び自己接着性洗浄ブロック及び／又は洗浄物品の製造方法を提供する。例示的な洗浄ブロック、洗浄物品及び方法は、特定例では、便器表面のような表面を洗浄するために使用してもよい。
【図１】
0006618935.tif 000008
【図２】
0006618935.tif 000009
【図３】
0006618935.tif 000010
【図４】
0006618935.tif 000011
【図５】
0006618935.tif 000012
【図６】
0006618935.tif 000013
【図７】
0006618935.tif 000014
【図８】
0006618935.tif 000015
【図９】
0006618935.tif 000016
【図１０】
0006618935.tif 000017